(57)【要約】【課題】蓋を備えた保冷庫に分注対象液の容器を収容し、蓋に形成された吸引用孔から分注対象液を吸引するタイプの分注装置において、吸引用孔の開閉機構を設けずに吸引用孔を実質的に閉鎖可能とする。【解決手段】保冷庫１１内の１つのラック１５の配設位置に対し、ラック１５に代えて、蓋１３の下面に近接するとともに吸引用孔１３ａの直下に位置した状態で、吸引用孔１３ａを閉鎖するための孔閉鎖部１７ａを有した孔閉鎖用部材１７を配置し、分注機構１２の非アクセス時には、孔閉鎖部１７ａが吸引用孔１３ａの直下へ位置するようにターンテーブル１６を駆動制御する。【選択図】図４
2018185345.tif 000002
【特許請求の範囲】
【請求項１】
分注対象液を収容した容器をそれぞれに複数個保持するラックの複数個を、底部に配したターンテーブル上に搭載した状態で収容する保冷庫と、そのターンテーブルを駆動制御して上記各容器を順次規定の吸引位置に位置決めするテーブル制御部と、その吸引位置に位置決めされた容器内の液体を吸引して規定の分注位置に吐出する分注機構を備えるとともに、上記保冷庫の上面は蓋で覆われ、その蓋に上記吸引位置に対応して吸引用孔が形成され、上記分注機構はその吸引用孔を介して上記吸引位置に位置決めされた容器内の液を吸引するように構成された分注装置において、
上記保冷庫内の１つのラックの配設位置に、上記蓋の下面に近接するとともに上記吸引用孔の直下に位置した状態で、当該吸引用孔を閉鎖するための孔閉鎖部を有してなる孔閉鎖用部材がラックに代えて配置され、上記テーブル制御部は、上記保冷庫内の各容器内の液を吸引するとき以外は、上記孔閉鎖用部材の孔閉鎖部が上記吸引用孔の直下に位置するように上記ターンテーブルを駆動制御することを特徴とする分注装置。
【請求項２】
上記孔閉鎖部の上記吸引用孔に対向する面が、当該吸引用孔の大きさよりも大きい平坦面であることを特徴とする請求項１に記載の分注装置。
【請求項３】
上記孔閉鎖用部材は、上記ラックの上記容器を保持する部位に、上記孔閉鎖部を形成する部材を保持する構成となっていることを特徴とする請求項１または２に記載の分注装置。
【請求項４】
複数の検体容器内に収容された検体を順次反応容器内に分注する検体分注装置と、試薬容器内に収容された試薬を上記反応容器内に分注する試薬分注装置と、上記反応容器内で反応した液体の光学的特性を測定する測光部を少なくとも備えた分析装置において、
上記検体分注装置および／または上記試薬分注装置として請求項１〜３に記載の分注装置が用いられていることを特徴とする自動分析装置。
【発明の詳細な説明】
【技術分野】
【０００１】
本発明は分注装置とそれを備えた自動分析装置に関し、さらに詳しくは、分注すべき液が冷却を必要とする場合に用いられる分注装置と、冷却を必要とする検体（試料）や試薬を取り扱う自動分析装置に関する。
【背景技術】
【０００２】
血液や尿など、生体から採取した検体を分析する分析装置、例えば血液凝固分析装置や生化学分析装置等においては、検体を所要位置に分注する分注装置として、保冷庫を備えたものが用いられることが多い。また、検体以外のある種の試薬等においても冷却を必要とするものがあり、その場合にも保冷機能付きの分注装置が用いられることもある。
【０００３】
このような保冷庫付きの分注装置では、検体あるいは試薬等（本明細書においてこれらを総称して「分注対象液」という）を容器に収容し、保冷庫の底部にターンテーブルを配して、その上に複数の分注対象液を収容した容器を保持するラックを複数個搭載し、ターンテーブルの駆動によって各容器を順次分注機構による吸引位置に位置決めしていく構成が一般に採用されている。
【０００４】
保冷庫にはその上面を覆う蓋が設けられ、その蓋には分注機構による吸引位置に対応する吸引用孔が形成され、分注機構は、その吸引用孔を介して保冷庫内の容器から分注対象液を吸引する（例えば特許文献１参照）。
【０００５】
このような吸引用孔は、通常、構造の複雑化を避けるため、開閉機構等を設けず常時開放されている。
【先行技術文献】
【特許文献】
【０００６】
【特許文献１】特開平１１−３１６２３５号公報
【発明の概要】
【発明が解決しようとする課題】
【０００７】
ところで、以上のような従来の保冷庫付きの分注装置では、保冷庫の蓋に吸引用孔が設けられていることから、外気温の影響を受けやすいという問題がある。すなわち、血液凝固分析装置等においては、検体容器を収容する保冷庫は４〜８℃に制御されるが、外気温が２３℃を越えると庫内温度が上昇することが確かめられている。
【０００８】
また、吸引用孔から外気が保冷庫内に入り込むことにより、装置内に結露が生じやすくなり、この水滴が容器内に落下して検体濃度が薄まるリスクが高くなる。
【０００９】
本発明はこのような実情に鑑みてなされたもので、蓋を備えた保冷庫に分注対象液の容器を収容し、蓋に形成された吸引用孔から分注対象液を吸引するタイプの分注装置において、吸引用孔の開閉機構を設けることなく、簡単な構成のもとにその吸引用孔を実質的に閉鎖することができ、もって外気温による保冷庫内の温度上昇を抑制し、また、外気の侵入を抑制することのできる分注装置と、その分注装置を備えた自動分析装置の提供をその課題としている。
【課題を解決するための手段】
【００１０】
上記の課題を解決するため、本発明の分注装置は、分注対象液を収容した容器をそれぞれに複数個保持するラックの複数個を、底部に配したターンテーブル上に搭載した状態で収容する保冷庫と、そのターンテーブルを駆動制御して上記各容器を順次規定の吸引位置に位置決めするテーブル制御部と、その吸引位置に位置決めされた容器内の液体を吸引して規定の分注位置に吐出する分注機構を備えるとともに、上記保冷庫の上面は蓋で覆われ、その蓋に上記吸引位置に対応して吸引用孔が形成され、上記分注機構はその吸引用孔を介して上記吸引位置に位置決めされた容器内の液を吸引するように構成された分注装置において、上記保冷庫内の１つのラックの配設位置に、上記蓋の下面に近接するとともに上記吸引用孔の直下に位置した状態で、当該吸引用孔を閉鎖するための孔閉鎖部を有してなる孔閉鎖用部材がラックに代えて配置され、上記テーブル制御部は、上記保冷庫内の各容器内の液を吸引するとき以外は、上記孔閉鎖用部材の孔閉鎖部が上記吸引用孔の直下に位置するように上記ターンテーブルを駆動制御することによって特徴づけられる（請求項１）。
【００１１】
ここで、本発明の分注装置においては、上記孔閉鎖部の上記吸引用孔に対向する面を、当該吸引用孔の大きさよりも大きい平坦面とすることができる（請求項２）。
【００１２】
また、本発明の分注装置において、上記孔閉鎖用部材としては、上記ラックの上記容器を保持する部位に、上記孔閉鎖部を形成する部材を保持する構成としたものを用いることができる（請求項３）。
【００１３】
また、本発明の自動分析装置は、複数の検体容器内に収容された検体を順次反応容器内に分注する検体分注装置と、試薬容器内に収容された試薬を上記反応容器内に分注する試薬分注装置と、上記反応容器内で反応した液体の光学的特性を測定する測光部を少なくとも備えた分析装置において、上記検体分注装置および／または上記試薬分注装置として請求項１〜３に記載の分注装置が用いられていることによって特徴づけられる（請求項４）。
【００１４】
本発明は、保冷庫の内部に、吸引用孔を塞ぐための部材を設け、分注機構の非作動時には、ターンテールの駆動によって閉塞部材を吸引用孔の直下に位置決めすることで、実質的に吸引用孔を塞ぎ、課題を解決しようとするものである。
【００１５】
すなわち、保冷庫内のターンテーブル上に複数個配置されるラックのうちの１つを外して、代わりに孔閉鎖用部材を配置する。この孔閉鎖用部材には、保冷庫の蓋の下面に近接する孔閉鎖部が形成されており、この孔閉鎖部を吸引用孔の直下に位置決めすることにより、吸引用孔を実質的に閉鎖するように構成する。また、ターンテーブルの駆動を制御する制御部は、分注機構による分注対象液の吸引時以外は常に孔閉鎖部を吸引用孔の直下に位置決めするように動作することで、分注機構の非アクセス時には常に吸引用孔を閉鎖した状態とする。
【発明の効果】
【００１６】
本発明によれば、分注機構のアクセス時を除き、保冷庫の蓋に形成した吸引用孔の実質的な閉鎖を簡単な構成で実現することができる。これにより、保冷能力を向上させることができるとともに分析安定性および試薬安定性の向上を図ることができる。
【００１７】
また、分注機構のアクセス時以外は吸引用孔の閉鎖が可能となるため、結露の発生を抑制して分注対象液の希釈を阻止することにより、分析データの異常の発生を防止することができる。
【００１８】
さらに、吸引用孔がほぼ常時閉鎖されるため、分注対象液の蒸発防止を達成できるとともに、外部への冷気の流出を阻止して装置の消費電力を低減する効果をも期することができる。
【図面の簡単な説明】
【００１９】
【図１】本発明の実施形態を示す概略構成図。
【図２】図１の検体分注装置において保冷庫の蓋を外した状態を示す平面図。
【図３】吸引用孔直下に位置決め後の検体容器と検体ラックを示す拡大縦断面図。
【図４】孔閉鎖要部材を示す図３同様の拡大縦断面図。
【図５】本発明の他の実施形態を示す説明図。
【発明を実施するための形態】
【００２０】
以下、図面を参照しつつ本発明の実施の形態について説明する。図１は、本発明に係る分注装置を、例えば血液凝固反応や免疫反応などの分析を行う自動分析装置に適用した場合の実施の形態を示す概略構成図である。
【００２１】
図１に示す自動分析装置は、検体分注装置１と試薬分注装置２、反応ディスク３および測光部４を主たる構成要素としている。検体分注装置１は、検体用保冷庫１１と、その内部の検体を吸引して反応ディスク３上の反応容器３１内に吐出する検体分注機構１２を備えている。また、試薬分注装置２は、試薬用保冷庫２１と、その内部の試薬を吸引して反応ディスク３上の反応容器３１内に吐出する試薬分注機構２２を備えている。
【００２２】
検体用保冷庫１１および試薬用保冷庫２１は、それぞれ蓋１３，２３によってその上面が塞がれており、これらの蓋１３，２３には、検体分注機構１２または試薬分注機構２２により内部の分注対象液を吸引するための吸引用孔１３ａ，２３ａが複数形成されている。
【００２３】
検体用保冷庫１１および試薬用保冷庫２１は、基本的には互いに同等の構造を有しているため、ここでは検体用保冷庫１１の構造について以下に説明する。図２は、検体用保冷庫１１の蓋１３を外した状態を示す平面図である。
検体用保冷庫１１内には、各々複数の検体容器１４を保持する検体ラック１５が複数個収容され、これらは検体用保冷庫１１の底部に設けられたターンテーブル１６上に搭載される。なお、図２では、検体容器１４がターンテーブル１６の回転軸を中心とする大小２つの円周に沿って２列に並ぶように検体ラック１５に保持され、蓋１３の吸引用孔１３ａもこれに対応して２個形成されたものを例示している。
【００２４】
図３の拡大図に示すように、各検体容器１４がターンテーブル１６の駆動により順次吸引用孔１３ａの直下に位置決めされた状態で、検体分注機構１２先端のプローブが吸引用孔１３ａを介して検体用保冷庫１１内に入り込み、位置決めされた検体容器１４内の検体を吸引した後、反応ディスク３の駆動によって、検体吐出位置に位置決めされている反応容器３１の直上に移動して検体を吐出する。また、試薬分注装置２についても、上記と同様にしてターンテーブルの駆動により吸引用孔２３ａの直下に位置決めされた試薬容器内の試薬を試薬分注機構２２により吸引し、反応ディスク３上で試薬吐出位置に位置決めされた反応容器３１内に吐出することになる。
【００２５】
このようにして反応ディスク３上の各反応容器３１内に検体と試薬とが順次分注され、これらの各反応容器３１は、容器内の溶液が反応ディスク３の駆動により反応した後に順次測光部４に送られる。測光部４は例えば分光光度計等からなり、反応後の分注対象液の光学的特性を測定した測定結果が分析に供される。
【００２６】
以上の検体用保冷庫１１と試薬用保冷庫２１内のターンテーブルと反応ディスク３、および検体分注機構１２と試薬分注機構２２は、駆動制御部５から供給される信号によって駆動制御され、これらの各部が連動して「分注→反応→測光」が行われるように構成されている。
【００２７】
さて、上述した実施の形態の特徴は、検体用保冷庫１１のターンテーブル１６上に配設される検体ラック１５のうちの１つが孔閉鎖用部材１７に置換されている点であり、この孔閉鎖用部材１７によって吸引用孔１３ａが実質的に閉鎖されることである。
【００２８】
すなわち、孔閉鎖用部材１７は、図４の拡大図に示すように、外形は検体ラック１５と同等であるが、その上面に孔閉鎖部１７ａが突出形成されており、この孔閉鎖部１７ａの上面は平坦面であって蓋１３の下面に近接する高さとなっている。この場合、検体分注機構１２の非アクセス時には、この孔閉鎖部１７ａが常に吸引用孔１３ａの直下に位置するように駆動制御部５がターンテーブル１６を駆動制御する。この状態では、図４に示すように、吸引用孔１３ａは孔閉鎖部１７ａの上面によって実質的に塞がれた状態となり、外気の侵入や冷気の流出を有効に抑制することができる。また、孔閉鎖部１７ａの上面の大きさを吸引用孔１３ａに比して広くすることにより、ラビリンス効果によって空気の流出や流入をより効果的に抑制することができる。
【００２９】
以上の構成により、保冷力が向上して消費電力を低減させることができる。通常、この種の分析装置において、保冷庫は２４時間体制で通電することが多く、その消費電力の低減はランニングコストの低減に寄与するところが大きい。また、本発明に係る分注装置によれば、結露を防止できるとともに、保冷庫内の分注対象液の蒸発を防止して分析結果の信頼性の向上にも寄与することができる。
【００３０】
ここで、以上の実施の形態では、専用の孔閉鎖用部材１７を用いた例を示したが、図５に示すように、通常の検体ラック１５をそのまま用いて、検体容器１４に代えて頂部が孔閉鎖部１７ａと同等の形状を有する孔閉鎖用具１７ｂを保持するようにしてもよい。
【００３１】
以上の構成は、図１における試薬用保冷庫２１にも等しく適用することができる。また、上記の実施の形態では検体用保冷庫１１と試薬用保冷庫２１を備えた分析装置について述べたが、検体と試薬を共通の保冷庫内に収容する場合でも上記の構成をそのまま採用することができる。
要は、保冷庫の蓋に形成された吸引用孔に対応して、上記のような孔閉鎖部を備えた部材を保冷庫内に配置し、その孔閉鎖部を、分注機構の非アクセス時に吸引用孔の直下に位置決めする構成とすればよい。
【００３２】
また、以上は本発明を血液凝固反応などの分析を行う自動分析装置に適用した例を示したが、これに代えて任意の分注装置に適用し得ることは勿論である。例えば、分注対象液を液体クロマトグラフィで分析する場合に、その試料液注入部に対して自動的に分注対象液を供給する分注器にも本発明を適用することが可能である。
【符号の説明】
【００３３】
１  検体分注装置
１１  検体用保冷庫
１２  検体分注機構
１３  蓋
１３ａ  吸引用孔
１４  検体容器
１５  検体ラック
１６  ターンテーブル
１７  孔閉鎖用部材
１７ａ  孔閉鎖部
１７ｂ  孔閉鎖具
２  試薬分注装置
２１  試薬用保冷庫
２２  試薬分注機構
２３  蓋
２３ａ  吸引用孔
３  反応ディスク
３１  反応容器
４  測光部
５  駆動制御部
【図１】
2018185345.tif 000003
【図２】
2018185345.tif 000004
【図３】
2018185345.tif 000005
【図４】
2018185345.tif 000006
【図５】
2018185345.tif 000007